(57)【要約】【課題】屋外野球場、特に天然芝を使用する屋外野球場において、これを野球以外の音楽イベント等、多目的に容易に使用可能にでき、しかも、音楽イベントやショー等に適した空間を簡単に形成できる屋外野球場を得る。【解決手段】フィールド１の周囲に内野側観客席４および外野側観客席５が配置され、内野側観客席４の上方を庇６で覆った屋外野球場において、内野側フィールド１ａの方向に張出す可動屋根９を前記庇６に重合し、前記内野側観客席４と外野側観客席５との境界に内野側フィールド１ａ方向に延長する可動仕切壁７を設け、前記内野側観客席４および内野側フィールド１ａの部分を屋内劇場空間として形成可能とした。【選択図】        図１
2008255682.tif 000002
【特許請求の範囲】
【請求項１】
フィールドの周囲に内野側観客席および外野側観客席が配置され、内野側観客席の上方を庇で覆った屋外野球場において、内野側フィールドの方向に張出す可動屋根を前記庇に重合し、前記内野側観客席と外野側観客席との境界に内野側フィールド方向に延長する可動仕切壁を設け、前記内野側観客席および内野側フィールドを屋内劇場空間として形成可能としたことを特徴とする屋外野球場。
【請求項２】
前記可動屋根は庇の上面または下面のいずれかにスライド可能に重合され、庇の上面に設けたガイドレールにそって内野フィールドの上方に移動する請求項１記載の屋外野球場。
【請求項３】
可動仕切壁を不使用時に収納する収納スペースを、前記内野側観客席と外野側観客席との境界に設置した請求項１記載の屋外野球場。
【発明の詳細な説明】
【技術分野】
【０００１】
本発明は、屋内劇場空間を形成可能な屋外野球場に関するものである。
【背景技術】
【０００２】
屋外野球場において、現在、野球選手の怪我を少なくするなどの目的で天然芝のフィールドが求められている。
【０００３】
一方、野球場を多目的に使用することも要求され、この場合は、球場全体に屋根を架けた屋内球場（ドーム球場）としてフィールドには人工芝を使用することが多い。球場全体に架った屋根を開閉させた屋外野球場として利用できる多目的球場もあるが、この場合でも芝の生育を考えると人工芝とする必要がある。
【０００４】
なお、全天候型の競技場として好天時には開放して使用することも可能であるような開閉式屋根を、構造物の少なくとも上部に対して設けたものや（例えば特許文献１参照）、野球場に適したドーム屋根をローコストで得ることができるようにしたドーム（例えば特許文献２参照）がある。
【特許文献１】特開平１１−１１７４４５号公報
【特許文献２】特開２０００−１７０３０９号公報
【発明の開示】
【発明が解決しようとする課題】
【０００５】
天然芝を使用する開閉屋根の屋外野球場もあるが、屋根架けの目的は試合の雨天中止をなくすためであり、多目的に利用するには天然芝の養生という問題がある。このように天候の制約や天然芝育成の制約によって、天然芝を使用する屋外野球場を多目的に利用することが困難であった。
【０００６】
また、屋内野球場（ドーム球場）で人工芝の場合であっても、空間の大きさは野球場としてのものであるため、すなわち、プレーに必要な面積や打球が当らない天井高さがあるため、空間の有する容積が巨大になり、その結果、たとえば、ショーや音楽イベントなどを開催するには空間が大きすぎ、音響的にも残響が長すぎて音楽イベントには不向きであり、興行できるイベントも限られ、野球場の有効利用が図られていない。
【０００７】
さらに、巨大な屋内空間を空調するための空調設備、および全体屋根を開閉する場合の開閉機構等、イニシャルコストやランニングコストがともに大きくなる。
【０００８】
本発明は前記従来例の不都合を解消するものとして、屋外野球場、特に天然芝を使用する屋外野球場において、これを野球以外の音楽イベント等、多目的に容易に使用可能にでき、しかも、音楽イベントやショー等に適した空間を簡単に形成できる屋外野球場を提供するものである。
【課題を解決するための手段】
【０００９】
請求項１記載の発明は、フィールドの周囲に内野側観客席および外野側観客席が配置され、内野側観客席の上方を庇で覆った屋外野球場において、内野側フィールドの方向に張出す可動屋根を前記庇に重合し、前記内野側観客席と外野側観客席との境界に内野側フィールド方向に延長する可動仕切壁を設け、前記内野側観客席および内野側フィールドの部分を前記可動屋根および可動仕切壁で囲み屋内劇場空間として形成可能としたことを要旨とするものである。
【００１０】
請求項１記載の本発明によれば、内野側観客席および内野側フィールドを可動屋根および可動仕切壁で囲むことにより閉鎖された屋内劇場空間を形成できる。この場合、内野側観客席は野球場の設備としても本来的に整っており、しかも内野側フィールドを観るために適した計画となっているから、この部分を利用してこれらを囲むことで屋内劇場空間を容易に形成できる。
【００１１】
そして、この空間はフィールド全体の１０分の１程度であり、小規模であるから、可動設備も簡便なもので足り、イニシャルコストやランニングコストも少なくてすむ。
【００１２】
また、屋内劇場空間に利用するフィールドは内野側フィールドだけであるから、フィールドが天然芝の場合であっても、屋内になる天然芝の部分は全体の芝面積の１０分の１以下であり、養生も簡単である。
【００１３】
請求項２記載の発明は、前記可動屋根は庇の上面にスライド可能に重合され、固定庇の上面または下面のいずれかに設けたガイドレールにそって内野側フィールドの上方に移動することを要旨とするものである。
【００１４】
請求項２記載の本発明によれば、可動屋根は、不使用時には固定庇に重合されているから、邪魔にならず、使用時にはここから内野側フィールドの方向に引出すだけで内野側フィールドの上方を覆うことができるから、設置が容易である。
【００１５】
請求項３記載の発明は、可動仕切壁を不使用時に収納する収納スペースを、前記内野側観客席と外野側観客席との境界に設置したことを要旨とするものである。
【００１６】
請求項３記載の本発明によれば、可動仕切壁は不使用時には収納スペース内に収納されているから邪魔にならず、使用時にはここから内野側フィールドの方向に引出すだけでフィールドの空間を簡単に間仕切ることができる。そして、可動仕切壁は可動屋根と一体となって安定した構造体を構築して屋内劇場空間を形成する。
【発明の効果】
【００１７】
以上述べたように本発明の屋外野球場は、設備の整っている内野側観客席および内野側フィールドの部分を利用して、この部分を可動屋根や可動仕切壁で囲むだけで屋内劇場空間をコンパクトに形成できるから、野球以外の音楽イベント等、多目的に容易に使用可能にでき、しかも、音楽イベントやショー等に適した空間を簡単に形成できるものである。
【発明を実施するための最良の形態】
【００１８】
以下、図面について本発明の実施形態を詳細に説明する。図１は本発明の屋外野球場の実施形態を示す全体斜視図、図２は同上平面図で、屋外野球場の全体造は周知のように内野側フィールド１ａと外野側フィールド１ｂとでフィールド１を構成し、このフィールド１を囲むようにして観客席が配置されている。
【００１９】
観客席は、内野側フィールド１ａの後方に従来のバックネット裏席を含む内野側観客席４が配置され、その両側に外野側観客席５が配置される。内野側観客席４とは外野側観客席５に比較して設備の整ったものであり、その上方には、固定された庇６が扇形に設置されている。
【００２０】
かかる構成の屋外野球場において、内野側観客席４と外野側観客席５との境界後方に収納スペースである戸袋８を設置し、この戸袋８内に可動仕切壁７を収納する。この可動仕切壁７は内野側観客席４と外野側観客席５との間を仕切るとともに、さらに延長して内野側フィールド１ａと外野側フィールド１ｂとを仕切るように移動自在に配設されるもので、分割された複数枚、図示の例では４枚で構成される。
【００２１】
なお、前記収納スペースは、図示のような戸袋８に限定されるものではなく、このような囲いのない単なる空スペースで形成し、可動仕切壁７を露出状態で収納することもできる。
【００２２】
前記庇６の上面または下面のいずれかに両側に略三角形状の可動屋根９を重合する。この可動屋根９は、内野側フィールド１ａの上方を覆うようにこの方向にスライド可能に設置されるものであり、庇６には可動屋根９を移動させるためのガイドレール１０が敷設される。
【００２３】
前記可動屋根９は、可動仕切壁７に連続して固定庇６の左右部分に重合されるもので、庇６の下面に重合させる場合は、ガイドレール１０が庇６の下面に設置され、可動屋根９はこのガイドレール１０から吊下げられることになる。
【００２４】
また、可動屋根９を側部で可動仕切壁７の一枚と連続して一体物に形成することも可能である。
【００２５】
かかる施設を野球場として使用する場合、可動屋根９は固定庇６の上または下に重ねるようにして収納し、可動仕切壁７も戸袋８内に収納してある。よって、これら可動屋根９や可動仕切壁７が野球のプレーや観戦の邪魔になることはない。
【００２６】
このような野球場を音楽イベントやショーなどの興行に使用するには、図３、図４に示すように可動屋根９をガイドレール１０にそって内野側フィールド１ａの方向に引出して内野側フィールド１ａの上方を覆う。この状態で固定庇６の両側から引出された可動屋根９は、先端および対向辺が突きあわさって全体として４分の１円の形状となり、庇６と連続する。
【００２７】
また、可動仕切壁７を戸袋８から引出して内野側フィールド１ａの方向に延長させ、内野側観客席４と、外野側観客席５との間に配設するとともに内野側フィールド１ａと外野側フィールド１ｂとの間に配設する。この状態で内野側フィールド１ａの両側からそれぞれ引出された可動仕切壁７は、両者の先端が９０度の角度をなして付合わさる。
【００２８】
この場合、図４に示すように可動屋根９と可動式壁７とが一体に形成されていると、可動屋根９と可動式壁７とが安定した状態で移動し、フィールド１に設置しての閉鎖時に十分な強度が得られる。
【００２９】
かかる可動屋根９と可動仕切壁７とで、内野側観客席４の前方の開放部が閉塞され、屋内劇場空間２が形成される。開放部を閉塞する可動屋根９と可動仕切壁７とは両者が組み合わさることによって安定した構造体となる。
【００３０】
以上のようにして形成された屋内劇場空間２は、設備の整っている内野側観客席４を主体にして形成され、また、内野側観客席４は内野側フィールド１ａが見易いような方向に向いて設置されているから、内野側フィールド１ａをイベントのステージ部分として利用すれば、使い勝手のよい屋内劇場空間２が得られる。
【００３１】
また、内野側観客席４に内野側フィールド１ａを加えただけのスペースであるから、コンパクトであり、空調などのランニングコストも低く抑えることができ、屋根などの可動機構も大掛りにならずにすむ。
【００３２】
さらに、フィールド１が天然芝であったとしても、屋内劇場空間２を形成することにより、屋内部分となって養生が必要になる芝の面積も全体の芝面積の１０分の１程度ですむから、養生も容易である。なお、選手の怪我防止を目的とする場合、外野側フィールド１ｂを天然芝とすることが要求されるため、この内野側フィールド１ａの部分のみ、人口芝とすることもできる。
【図面の簡単な説明】
【００３３】
【図１】本発明の屋外野球場の実施形態を示す全体斜視図である。
【図２】本発明の屋外野球場の実施形態を示す平面図である。
【図３】本発明の屋外野球場の実施形態を示す分解斜視図である。
【図４】本発明の屋外野球場の実施形態を示す要部である屋内劇場空間の部分の斜視図である。
【符号の説明】
【００３４】
１  フィールド                  １ａ  内野側フィールド
１ｂ  外野側フィールド          ２  屋内劇場空間
４  内野側観客席
５  外野側観客席                ６  庇
７  可動仕切壁                  ８  戸袋
９  可動屋根                    １０  ガイドレール
【図１】
2008255682.tif 000003
【図２】
2008255682.tif 000004
【図３】
2008255682.tif 000005
【図４】
2008255682.tif 000006